(57)【特許請求の範囲】
【請求項１】
電流端子を含む電力量計と自動結線装置とを電気的に接続する接触子であって、
前記自動結線装置の所定箇所に取付固定される導電性の基部と、
前記電流端子と接触すると共に、押圧されると弾性変形する第一の導電部とを備え、
前記基部の上面に、前記第一の導電部が配設され、
前記電流端子が前記第一の導電部に当接することで、前記第一の導電部が弾性変形し、前記電流端子との接触領域が拡がり、
更に、前記基部の軸方向に沿って突出する突起部が、前記基部の上面の中央で前記第一の導電部の内側に着脱可能に取り付けられ、
前記突起部の側面には、前記電流端子に設けられる接触子接続孔の内壁と接触する弾性体から構成される第二の導電部が配設されることを特徴とする接触子。
【請求項２】
請求項１に記載の接触子を備える自動結線装置であって、
前記電力量計を収容可能な電力量計収容部と、
前記電力量計収容部の底部に位置すると共に、前記接触子が立設される接触子ベースプレート部と、
上下方向にスライド移動可能な２本以上のシャフトと、試験時に前記電力量計の所定箇所と当接する電力量計押え板とを含み、前記電力量計を上方から前記接触子ベースプレート部に向かって押し込む電力量計押込手段と、
前記電力量計押込手段の前記シャフトを上下方向にスライド移動させるシャフト移動手段とを備えることを特徴とする自動結線装置。
【請求項３】
前記電力量計押込手段は、前記電力量計押え板の位置を、前記電力量計収容部に近づけ又は離すよう制御する押え板位置制御部をさらに備え、前記押え板位置制御部を介して前記シャフトと前記電力量計押え板とが接続されることを特徴とする請求項２に記載の自動結線装置。
【請求項４】
前記シャフト移動手段は、電磁弁と、エアシリンダと、ピストン部と、シリンダヘッドとを含み、前記電磁弁のスイッチングにより前記ピストン部及び前記ピストン部に保持される前記シリンダヘッドをスライド移動させ、さらに前記シリンダヘッドに保持される前記電力量計押込手段の前記シャフトをスライド移動させることを特徴とする請求項２又は３に記載の自動結線装置。
【発明の詳細な説明】
【技術分野】
【０００１】
本発明は、主に電力量計の性能試験の際に用いられる自動結線装置及び自動結線装置に組み込まれ、電力量計の電流端子と自動結線装置とを電気的に接続する接触子に関する。
【背景技術】
【０００２】
ビル、家屋、工場等の建物には、その建物内で消費された電力量を計るための電力量計が備えられている。この電力量計に対して、出荷前などに、計測精度が所定規格を満たすものか否かの試験（以下、単に「試験」という。）が行われる。その際、出荷までの時間ロスをなるべく少なくするため、試験装置に電力量計をセットする作業（具体的には、試験装置と電力量計との電気的接続）を手作業ではなく、自動結線装置（自動結線器）を用いて行っている。この自動結線装置に関して、下記特許文献に記載の技術が開示されている。
【０００３】
特許文献１には、
電力量計に設けられる筒状端子に嵌め合わされ、先端部を軸方向に分割する割り溝を有する電流端子を備え、
前記電流端子の内部に、前記割り溝に達する位置まで挿入されたチューブが配置され、
前記チューブに圧縮気体が供給されることで、前記チューブが膨張し、前記電流端子の先端部が拡径することで、前記電流端子と前記筒状端子とが接触して、前記電力量計との接続が行われる自動結線器が開示されている。
さらに、この自動結線器は、前記電流端子を保持するとともに、左右にスライド移動可能な絶縁ブロックを備えることで、電力量計の筒状端子の位置に応じて、前記電流端子の位置決めを行うことが可能である。
【先行技術文献】
【特許文献】
【０００４】
【特許文献１】特開２００１−２３５５２７号公報
【発明の概要】
【発明が解決しようとする課題】
【０００５】
しかしながら、特許文献１に記載の技術は、電流端子先端部と、電力量計の筒状端子とを接触させるためのチューブを電流端子内部に配置しなければならず、作業コストの点で課題がある。
【０００６】
また、特許文献１に記載の技術は、弾性変形しない部材同士（電流端子先端部と筒状端子）が接触する構成であるため、各接触箇所が面状とならずに点状となり、その結果、接触面積が限られる。特に、電力量計と自動結線装置の接続位置が試験ごとに常に一定ではなく、わずかなずれが生じるため、電流端子先端部と筒状端子の接触面積が小さくなる場合がある。従って、例えば定格電流１２０Ａの電力量計のように、大量の電力が供給される電力量計を試験するときは、接触部分での電気抵抗が大きくなると共に、当該箇所に生じる発熱量も多くなるという課題がある。
【０００７】
本発明は、簡易な構成で、作業コストを抑えることが可能であるとともに、自動結線装置と電力量計との接触面積を広くし、上記のような大量の電力が供給される電力量計を試験する際、接触部分での電気抵抗及び発熱量を少なく抑えることが可能な接触子及びそれを備える自動結線装置を提供することを目的とする。
【課題を解決するための手段】
【０００８】
前記課題を解決するための本発明に係る接触子は、
電流端子を含む電力量計と自動結線装置とを電気的に接続する接触子であって、
前記自動結線装置の所定箇所に取付固定される導電性の基部と、
前記電流端子と接触すると共に、押圧されると弾性変形する第一の導電部とを備え、
前記基部の上面に、前記第一の導電部が配設され、
前記電流端子が前記第一の導電部に当接することで、前記第一の導電部が弾性変形し、前記電流端子との接触領域が拡がり、
更に、前記基部の軸方向に沿って突出する突起部が、前記基部の上面の中央で前記第一の導電部の内側に着脱可能に取り付けられ、
前記突起部の側面には、前記電流端子に設けられる接触子接続孔の内壁と接触する弾性体から構成される第二の導電部が配設されることを特徴とする。
【０００９】
また、本発明に係る自動結線装置は、
上記接触子を含み、
前記電力量計を収容可能な電力量計収容部と、
前記電力量計収容部の底部に位置すると共に、前記接触子が立設される接触子ベースプレート部と、
上下方向にスライド移動可能な２本以上のシャフトと、試験時に前記電力量計の所定箇所と当接する電力量計押え板とを含み、前記電力量計を上方から前記接触子ベースプレート部に向かって押し込む電力量計押込手段と、
前記電力量計押込手段の前記シャフトを上下方向にスライド移動させるシャフト移動手段とを備えることを特徴とする。
【発明の効果】
【００１０】
本発明は、基部の上面に第一の導電部を備えるため、前記第一の導電部と電力量計の電流端子とが接触すると、当該第一の導電部が弾性変形するため、電力量計と自動結線装置の接続位置が試験ごとに一定でなくとも、常に広く面状に両者を接触させることができる。また、本発明は、電力量計の電流端子に設けられる接触子接続孔の内壁と接触する際につぶれて、接触面積が広がる構成の第二の導電部を備える。それにより、試験時における電力量計１０００と接触子１００（自動結線装置１０）との接触抵抗及び発熱量をより少なく抑えることが可能となる。そのため、試験装置から電力量計へ電力を供給する際、接触部分での電気抵抗及び発熱量を少なく抑えることが可能となる。
【発明を実施するための形態】
【００１１】
本発明に係る実施形態の詳細な説明をする前に、自動結線装置１０にセットされる電力量計１０００の概略について図８を用いて説明する。なお、図８では、定格電流１２０Ａの電力量計を例に説明するが、本発明に係る接触子１００を挿入可能な電力量計であれば、その種類は限定されるものではない。
【００１２】
図８の（ａ）は、電力量計１０００の上面図、図８の（ｂ）は、電力量計１０００の正面図、図８の（ｃ）は、電力量計１０００の底面図、図８の（ｄ）は、電力量計１０００の側面図である。電力量計１０００は、電流端子１１１０、電圧端子１１２０等を備える本体部１１００と、本体部１１００を覆うカバー部１２００を備える箱型の装置である。電力量計１０００のカバー部１２００は、その一側面から水平に出っ張る接触子被覆部１２１０を有しており、この接触子被覆部１２１０の内部に電流端子１１１０が収容される。電流端子１１１０は、後述する図１に示す接触子１００の突起部１３０が挿入される接触子接続孔１１１１を有する。
【００１３】
この電力量計１０００は、図８（特に図８（ｃ））で示す４つの電流端子１１１０が、左から、１Ｓ端子、３Ｓ端子、３Ｌ端子、１Ｌ端子の順番で配置されている。同様に、電圧端子１１２０は、左から、Ｐ１端子、Ｐ２端子、Ｐ３端子の順番で配置されている。
【００１４】
また、図８（ａ）に示すように、電力量計１０００の上面には、試験時に電力量計１０００に供給される電力量に応じて所定周期のパルス光線（例えば、赤外線等）を発光する光線発光部１１３０が設けられる。
【００１５】
ここで、図８の（ｄ）の点線は、カバー部１２００の内側にある電力量計１０００の位置を示している。すなわち、電力量計１０００の本体部１１００が、カバー部１２００を装着していない場合は、電力量計押込手段３００の電力量計押え板３２０と電力量計１０００との接触位置が、カバー部１２００を装着している場合と比べて低くなる。
【００１６】
なお、図８（ａ）及び（ｂ）に示すように、電流端子１１１０の接触子接続孔１１１１には、電力量計１０００が工場、家屋等に備えつけられる際、電線を電流端子１１１０に留めるためのボルト１１１２が挿入されている場合がある。この場合は、試験の際、接触子接続孔１１１１には既にボルト１１１２が挿入されているため、図１に示す接触子１００の突起部１３０を挿入することができない。従ってこの場合、接触子１００と電流端子１１１０とを接続する際、接触子１００から突起部１３０を取り外して、電力量計１０００と接触子１００とを接続することになる。
【００１７】
以下、図面を参照して本発明の望ましい実施形態を詳細に説明する。但し、本発明は多くの異なる態様で実施することが可能であり、以下に示す実施の形態の記載内容に限定して解釈されるものではない。
【００１８】
まず、図１を参照して、本発明に係る自動結線装置に組み込まれる接触子１００について説明する（この接触子１００と、試験装置（図示しない）の電源側との間に導線等が介在することで、自動結線装置と試験装置とが接続される。）。図１の（ａ）は接触子１００の斜視図、図１の（ｂ）は接触子１００の上面図、図１の（ｃ）は接触子１００の正面図である。接触子１００は、基部１１０、第一の導電部１２０、突起部１３０、第二の導電部１４０等から構成される。
【００１９】
基部１１０は、導電性の部材であり、形状は特に限定されないが、図１では長尺棒状で、その上部に軸よりも広い径の円柱が形成されている。電力量計１０００の試験の際、基部１１０を介して、試験装置から電力量計１０００に電流が流れる。また、基部１１０は、図３に示す自動結線装置１０の接触子ベースプレート部２１０に設けられた挿入孔２１１に挿入されて、基部１１０を接触子ベースプレート部２１０に取付固定するための係合部１１１を有することが好ましい。なお、係合部１１１の係合手段は、特に限定されるものではないが、図１の接触子１００では、係合部１１１に螺子溝が掘られ、他方、挿入孔２１１にも、係合部１１１の螺子溝に対応する溝が形成される構造とし、係合部１１１を挿入孔２１１に螺合して、基部１１０が接触子ベースプレート部２１０に取付固定されるようにしている。基部１１０の上面１１２は、試験時、電流端子１１１０と対向する位置となる。
【００２０】
第一の導電部１２０は、電力量計１０００の電流端子１１１０と直に接触する部材であり、基部１１０の上面１１２に配設される。本実施形態では基部上面１１２に凹部１１３を形成し、この凹部１１３に第一の導電部１２０が埋設されている。第一の導電部１２０は、押圧されると弾性変形するコイルスプリング（弾性体）から構成されており、試験時に電力量計１０００が自動結線装置１０にセットされ、電流端子１１１０が、第一の導電部１２０に当接すると、当該接触箇所がつぶれて電流端子との接触領域が拡がるように変形する。電流端子１１１０と上面１１２とを各々平行とすることが接触面積を広く保つ点で望ましい。しかしながら、試験ごとに電流端子１１１０と上面１１２とを常にそのような状態として、電力量計１０００を自動結線装置１０にセットすることは困難である。この場合、いずれか一方が、わずかに傾くため、電流端子１１１０と上面１１２とは上記のように面状に接触せず、接触面積が小さくなる。そのため、上面１１２に第一の導電部１２０を設けた。これにより、電流端子１１１０と上面１１２のいずれか一方が傾いていても、第一の導電部１２０の当該接触箇所がつぶれることにより、電流端子１１１０と第一の導電部１２０との接点が広がり、接触部分での電気抵抗及び発熱量を少なく抑えて、電力量計１０００に電流を流すことが可能となる。
【００２１】
突起部１３０は、径が電流端子１１１０の内径より細い導電性の筒状部材であり、基部１１０の上面１１２の略中央に着脱可能に取り付けられる。突起部１３０は、主に、図８に示す電力量計１０００の接触子接続孔１１１１にボルト１１１２が嵌め込まれた状態の電子式電力量計１０００に電流が流される際、電子式電力量計１０００の電流端子１１１０と接触子１００との接触面積をさらに増やして、電気抵抗による当該箇所の過度の温度上昇を防ぐために使用される（接触子接続孔１１１１にボルト１１１２が嵌め込まれていない状態の電子式電力量計１０００に対して電流が流される場合であっても、突起部１３０を使用可能であることはもちろんである。）。
【００２２】
電流端子１１１０と接触子１００との接触箇所の温度が、過度に上昇すると判断された場合、接触子接続孔１１１１からボルト１１１２を取り外し、突起部１３０を基部１１０に装着させて、空孔となった接触子接続孔１１１１に挿入する。一方で、接触箇所に過度の温度上昇がない場合には、ボルト１１１２が接触子接続孔１１１１に挿入されたままで試験される。この場合、突起部１３０は基部１１０に取り付けない。なお、突起部１３０を基部１１０に取り付けるための手段は任意であるが、本実施形態では、図１（ｃ）に示すように、突起部１３０から突出する雄螺子部１３１が、上面１１２の略中央から基部１１０の内側に形成された雌螺子部１１４に螺合して、突起部１３０が基部１１０に取り付けられる構造となっている。
【００２３】
この突起部１３０の周囲に、第一の導電部１２０が、図１の（ｂ）に示すように配設されるのが好ましい。このような配置とすることで、電力量計１０００を自動結線装置１０にセットする際、電流端子１１１０の接触子接続孔１１１１を突起部１３０に被せれば、電流端子１１１０と第一の導電部１２０とを互いの接触面積を広く保つことが可能な位置で接触させることができる。従って、試験時の電力量計１０００の位置合わせを、簡易な構成で且つ正確に行うことができる。
【００２４】
なお、突起部１３０の径の寸法を、接触子接続孔１１１１の内径とほぼ同寸法として、突起部１３０と、電流端子１１１０の接触子接続孔１１１１の内壁とが直接接触するようにした場合、電子式電力量計１０００と自動結線装置１０とをわずかなずれもなく常に一定にセットしなければならず、電子式電力量計１０００の位置合わせが困難となる。そのため、突起部１３０を接触子接続孔１１１１に挿入する際のいわゆる「遊び」を設けるため、突起部１３０の径を接触子接続孔１１１１の内径より細くし（例えば、突起部１３０の径が７ｍｍ、接触子接続孔１１１１の内径が８ｍｍ）、両者の寸法に若干の差を持たせることが好ましい。また、この突起部１３０の径と接触子接続孔１１１１の内径との寸法差を埋めるため、突起部１３０の側面には、第二の導電部１４０を設けることが好ましい。この第二の導電部は、接触子接続孔１１１１の内壁と接触する際につぶれて、接触面積が広がる構成の弾性体であることが好ましい。それにより、試験時における電力量計１０００と接触子１００（自動結線装置１０）との接触抵抗及び発熱量をより少なく抑えることが可能となる。
【００２５】
次に、図２乃至図５を用いて、本発明の第一の実施形態に係る自動結線装置１０について説明する。図２は、自動結線装置１０を正面から見た正面図、図３は、図２の自動結線装置１０のＡ−Ａ線の矢視図、図４は、自動結線装置１０の側面の透視図、図５は、試験時に電力量計１０００が自動結線装置１０の電力量計収容部２００に収容されるまでの工程を示す図である。
【００２６】
自動結線装置１０は、接触子１００（上記にて詳述した）、電力量計収容部２００、電力量計押込手段３００、シャフト移動手段４００、電力量計１０００の設置高さ調節手段５００等から構成されている。
【００２７】
図２及び図３に示すように、電力量計収容部２００は、電力量計１０００の試験の際（接触子１００と接続する際）、内部に電力量計１０００を納める部分である。具体的には、電力量計収容部２００は、上部が開口し、底部には接触子１００が立設される接触子ベースプレート部２１０が配設され、また各側部には収容部区画板２２０が配設されており、少なくとも電力量計１０００の底面と接触子ベースプレート部２１０とが対面する状態で、電力量計１０００を収容できるスペースが確保されている。また、電力量計収容部２００の内部には、図４に示すように、電力量計１０００の設置高さを調節する設置高さ調節手段５００が配設される。なお、設置高さ調節手段５００の詳細については後述する。
【００２８】
電力量計押込手段３００は、試験の際、電力量計収容部２００に収容された電力量計１０００を、接触子ベースプレート部２１０に向かってさらに押込むための手段である。電力量計押込手段３００は、後述するシャフト移動手段４００により上下移動する少なくとも２本のシャフト３１０と、電力量計１０００の接触子被覆部１２１０（電力量計１０００のカバー部１２００が外された状態にある場合には、電流端子１１１０の上部）と当接する電力量計押え板３２０等を含む構成である。電力量計押え板３２０は、シャフト３１０の各々の上端に掛け渡される構成であってもよいが、本実施形態では、電力量計押え板３２０の位置を、電力量計収容部２００に近づく又は離すよう制御する押え板位置制御部３３０を介して接続されることが好ましい。
【００２９】
押え板位置制御部３３０の構成を、図２、図３及び図５を参照して説明する。押え板位置制御部３３０は、図２に示すように、シャフト３１０の上端にそれぞれ取り付けられる引込みヘッド３３１と、リンク３３２と、引込みヘッド３３１とリンク３３２とを接続するジョイント３３３とを含み、各々のリンク３３２の上端に、前記電力量計押え板３２０が掛け渡される。
【００３０】
さらに、押え板位置制御部３３０は、図３及び図５に示すように、シャフト３１０、引込みヘッド３３１及びリンク３３２の前後（図３の場合、リンク３３２等の上下、図５の場合、リンク３３２等の左右）に、シャフト３１０の上下移動に伴って移動するリンク３３２を支持するリンクガイドＡ３３４及びリンクガイドＢ３３５を備えていてもよい。本実施形態では、リンクガイドＡ３３４及びリンクガイドＢ３３５は、接触子ベースプレート部２１０の側方に留められる。
【００３１】
また、押え板位置制御部３３０は、図３及び図５に示すように、リンクガイドＡ３３４に設けられるポストＡ３３６と、リンク３３２に設けられるポストＢ３３７に、両端が留められる引っ張りバネ３３８を備えていてもよい。引っ張りバネ３３８は、図５（ａ）に示すように、そのバネ力によってリンク３３２を引っ張り、シャフト３１０に対して斜めに傾かせるよう作用する。
【００３２】
電力量計押込手段３００の作用について、図５を参照して説明する。図５（ａ）に示すように、電力量計１０００が電力量計収容部２００に収容される際、リンク３３２は、引っ張りバネ３３８のバネ力により、リンク３３２の一端３３２Ａが他端３３２Ｂより遠い位置となるよう、傾いた状態で配置されている。その後、後述するシャフト移動手段４００によりシャフト３１０が下方に移動するに伴って、リンク３３２は、その他端３３２Ｂから徐々にリンクガイドＡ３３４及びリンクガイドＢ３３５の間に挟まれていく。それにより、図５（ｂ）、（ｃ）に示すように、リンク３３２は、引っ張りバネ３３８のバネ力に抗して、接触子ベースプレート部２１０に対して垂直に立ち上がる。
【００３３】
さらに、シャフト３１０がより下方に移動すると、リンク３３２の上部に掛け渡される電力量計押え板３２０が、図５（ｅ）に示すように、電力量計１０００の接触子被覆部１２１０と当接し、図５（ｆ）に示すように、電力量計１０００が、下方（接触子ベースプレート部２１０側）に向かって押込まれていく。
【００３４】
なお、カバー部１２００が装着されていない電力量計１０００が収容される場合、電流端子１１１０が剥き出しの状態でセットされる。この場合、図８（ｄ）に示すように、カバー部１２００がない分、電力量計１０００と電力量計押え板３２０との接触位置が低くなる。そのため、電力量計押込手段３００の状態が図５（ｃ）の場合、電力量計押え板３２０と電流端子１１１０の上部との間に大きな隙間が生じて、両者が接触するまで距離ができてしまう。従って、電力量計押込手段３００が図５（ｆ）の状態となっても、電力量計１０００の押込みが甘いという事態が起こる。それを解消するため、リンク３３２の上部に掛け渡される電力量計押え板３２０は、その下部に所定の厚みを有する電力量計押え板厚み調節部を取付可能とし、あるいは、厚さの異なる電力量計押え板３２０を用意し、カバー部１２００がある場合とない場合とで交換して使用することが好ましい。これにより、カバー部１２００の装着の有無に関わらず、電力量計１０００を電力量計収容部２００にしっかりと押込むことができる。
【００３５】
シャフト移動手段４００は、上述した電力量計押込手段３００のシャフト３１０を、上下方向にスライド移動させるものである。本実施形態に係る自動結線装置１０におけるシャフト移動手段４００は、図２及び図４に示すように、基板６００の下方に配設され、図２に示すように左右両端にシャフト３１０の各々を保持するラックギヤヘッド４１０と、図４に示す一面４２１Ａの所定箇所がラックギヤヘッド４１０に接触して固定されると共に、他面４２１Ｂにラックを有するラックギヤ４２１、及びラックギヤヘッド４２１の他面４２１Ｂと対向する位置に配設され、このラックギヤ４２１に噛み合う歯車４２２を備えるラックアンドピニオン機構４２０と、上下方向（接触子１００と平行）に長く、下端にレバー側ギヤ４３１を有するレバー４３０と、一端が歯車４２２と嵌合すると共に、他端がレバー側ギヤ４３１と嵌合して、ラックアンドピニオン機構４２０とレバー４３０とを接続するギヤシャフト４４０を含む構成である。
【００３６】
シャフト移動手段４００の作用を図２及び図４を用いて説明する。まず、試験者の手動によりレバー４３０が所定方向（図面手前側又は奥側）に傾けられると、レバー側ギヤ４３１が回転すると共に、その回転力が、ギヤシャフト４４０を介してラックアンドピニオン機構４２０の歯車４２２に伝わる。それにより、歯車４２２が回転し、図４（ｂ）に示すように、歯車４２２と噛み合うラックギヤ４２１が図面下方に移動する。それに伴って、ラックギヤ４２１が取り付けられるラックギヤヘッド４１０が下方に移動すると共に、図２に示すラックギヤヘッド４１０に保持されるシャフト３１０も下方に移動する。なお、シャフト３１０を図面上方に移動させる場合は、レバー４３０を上記とは逆に傾ける（例えば、シャフト３１０を下方に移動させる場合に、レバー４３０を手前側に傾ける設定となっていれば、シャフト３１０を上方に移動させる場合、レバー４３０を奥側に傾ける。）。
【００３７】
このように、本発明に係る自動結線装置１０（下記の自動結線装置２０も同様）は、シャフト移動手段４００が、電力量計押込手段３００に作用することで、電子式電力量計１０００が接触子ベースプレート部２１０に向かって押し込まれる構成である。そのため、上述した電力量計押込手段３００が押え板位置制御部３３０を含む構成であれば、例えば、装置外側に突き出した電力量計の載せ台に、電子式電力量計を載せて、それを装置内部に引き込む形式のものとは異なり、リンク３３２を回動させ、電力量計押え板３２０を下降させるだけで、電子式電力量計１０００をセットすることが可能である。よって、装置全体を非常にコンパクト化することが可能となる。
【００３８】
設置高さ調節手段５００は、電力量計収容部２００に収容された状態の電力量計１０００の設置高さを調節するための手段である。具体的には、図４（ａ）（ｂ）に示すように、設置高さ調節手段５００は、電力量計１０００を載置する載置プレート５１０と、載置プレート５１０とシャフト移動手段４００のラックギヤヘッド４１０とを繋ぐ接続シャフト５２０を含む構成である。電力量計１０００が電力量計収容部２００に収容された直後は、図４（ａ）に示すように、載置プレート５１０が接触子ベースプレート２１０と離れた位置で停止しているが、上述した電力量計押込手段３００により、電力量計１０００が接触子ベースプレート２１０側に押し込まれると、図４（ｂ）に示すように、載置プレート５１０が、電力量計１０００とともに接触子ベースプレート２１０の上面と触れるまで下降する。その結果、電力量計１０００の電流端子１１１０が、接触子１００の突起部１３０と嵌合する。
【００３９】
次に、上記自動結線装置１０において、さらに、電力量計１０００から発せられるパルス光線（例えば、赤外線等）を利用して、電力量計１０００の電力量表示メータを視認する以外の方法でも、試験時に電力量計１０００に供給される電力量を計測することが可能な自動結線装置について、図６を参照して説明する。
【００４０】
図６は、自動結線装置１０を上から見た図である（但し、図６では、電力量計収容部２００には、電力量計１０００が収容されていない。）。図６の７００は、上記図８（ａ）で示す電力量計１０００の光線発光部１１３０からの光線を受光する受光アームである。
【００４１】
この受光アーム７００は、一端に受光素子７１０を備えると共に、他端の軸部７２０を軸として、図６の矢印に示すように、電力量計１０００の上部をエアアクチェータなどにより回転移動する構成となっている。これにより、光線発光部１１３０から光を受け取る場合には、受光アーム７００の回動し、それに伴って、受光素子７１０が光線発光部１１３０の真上に移動する。なお、電力量計１０００が電力量計収容部２００に収容された際、光線発光部１１３０は、図６において鎖線で表されている、移動後の受光素子７１０の真下に位置する。
【００４２】
また、受光アーム７００は、受光した光のデータを受信する受信部、及び受信データから電力量計１０００に供給された電力量を計測する演算部を含む電力量計測手段（図示しない）に、有線又は無線の通信回線を介して接続される。これにより、電力量計１０００に供給された電力量を計測することが可能となる。
【００４３】
なお、受光アーム７００は、特に限定されるものではないが、本実施形態では、受光アーム７００は、エアシリンダ等の所定の昇降手段により受光アーム７００を上下方向（図６では、図面の手前から奥、又は奥から手前）に昇降移動させる受光アーム昇降部７３０に取り付けられる。その際、受光アーム７００の軸部７２０が、受光アーム昇降部７３０に回動可能に留められる。また、図６では、受光アーム昇降部７３０は、電力量計収容部２００の外側であって、電力量計収容部２００に収容された電力量計１０００の光線発光部１１３０の近傍に配置されている。
【００４４】
次に、本発明の第二の実施形態について、図７を参照して説明する。なお、上記第一の実施形態に係る自動結線装置１０と同一の部分については、同一の符合を付し、説明を省略する。
【００４５】
図７は、第二の実施形態に係る自動結線装置２０を、図２にある自動結線装置１０と同様の位置から見た図である。上記第一の実施形態とは異なる部分は、シャフト移動手段８００である。具体的には、シャフト移動手段８００は、電磁弁（図示しない）と、両端にシャフト３１０の各々を保持するシリンダヘッド８１０と、上記電磁弁が接続され、この電磁弁のスイッチングにより、内部のピストン部８３０を昇降移動させるエアシリンダ８２０とを含み、ピストン部８３０とシリンダヘッド８１０とが接続される構成である。ただし、エアシリンダ８２０への空気供給制御手段は、上記電磁弁に限定されるものではなく、他の手段を用いてもよい。
【００４６】
シャフト移動手段８００は、上記のような構成であるため、電磁弁のスイッチングによりエアシリンダ８２０を働かせることで、ピストン部８３０及びシリンダヘッド８１０を上昇又は下降させることができる。このシャフト移動手段８００により、シリンダヘッド８１０に保持される電力量計押込手段３００のシャフト３１０をスライド移動させる。また、接続シャフト５２０を介して、設置高さ調節手段５００の載置プレート５１０もスライド移動させる。その他の作用は、第一の実施形態と同じであるので、説明を省略する。
【図面の簡単な説明】
【００４７】
【図１】本発明の一実施形態係る接触子の概略を示す図。
【図２】本発明の一実施形態係る自動結線装置１０の正面図。
【図３】図２の自動結線装置１０のＡ−Ａ線の矢視図
【図４】本発明の一実施形態係る自動結線装置１０の側面の透視図
【図５】試験時に電力量計１０００が自動結線装置１０の電力量計収容部２００に収容されるまでの工程を示す図
【図６】受光アーム７００を備える自動結線装置１０を上から見た図。
【図７】本発明のさらに別の実施形態係る自動結線装置２０を示す図。
【図８】電力量計１０００の概略を示す図。
【符号の説明】
【００４８】
１０      自動結線装置
２０      自動結線装置
１００    接触子
２００    電力量計収容部
２１０    接触子ベースプレート部
３００    電力量計押込手段
３１０    シャフト
３２０    電力量計押え板
３３０    押え板位置制御部
４００    シャフト移動手段
５００    設置高さ調節手段
６００    基板
７００    受光アーム
８００    シャフト移動手段
１０００  電力量計
１１００  本体部
１１１０  電流端子
１２００  カバー部
【図１】
0005648795.tif 000002
【図２】
0005648795.tif 000003
【図３】
0005648795.tif 000004
【図４】
0005648795.tif 000005
【図５】
0005648795.tif 000006
【図６】
0005648795.tif 000007
【図７】
0005648795.tif 000008
【図８】
0005648795.tif 000009